(57)【要約】【課題】電線内に水、油が侵入した場合であっても、水、油が電線を接続した機器側にまで移動しないよう、水、油の移動を確実に遮断できる電線および電線の製造方法などを提供する。【解決手段】各電線１０、２０の芯線１１、２１同士が、隙間を有して互いに接していない状態で、はんだ付けされ、はんだ付け部３０と、各芯線１１、２１におけるはんだ付け部３０および被覆部１２、２２から露出した部分と、各被覆部の端部１２ａ、２２ａとが、内側樹脂封止部３１により覆われ、内側樹脂封止部３１におけるはんだ付け部３０に対応する箇所の外周に、この内側樹脂封止部３１の外周を全周から締め付ける締付け材３２が配設され、内側樹脂封止部３１と、締付け材３２の両側面部と、電線１０、２０における内側樹脂封止部３１から露出した部分とが外側樹脂封止部３３により覆われている。【選択図】図１
2010218780.tif 000002
【特許請求の範囲】
【請求項１】
複数の素線からなる芯線が被覆部で被覆された電線であって、
電線の芯線同士が、隙間を有して互いに接していない状態で、はんだ付けされ、
はんだ付け部と、各芯線におけるはんだ付け部および被覆部から露出した部分と、各被覆部の端部とが、第１の樹脂で封止されてなる内側樹脂封止部により覆われ、
前記内側樹脂封止部における前記はんだ付け部に対応する箇所の外周に、この内側樹脂封止部の外周を全周から締め付ける締付け材が配設され、
前記内側樹脂封止部と、前記締付け材の両側面部と、前記電線における前記内側樹脂封止部から露出した部分とが、第２の樹脂で封止されてなる外側樹脂封止部により覆われている
ことを特徴とする電線。
【請求項２】
電線における内側樹脂封止部から露出した部分の外周に、この電線の外周を全周から締め付ける補助締付け材が配設され、
内側樹脂封止部と、締付け材の少なくとも両側面部と、電線における内側樹脂封止部から露出した部分と、前記補助締付け材とが、第２の樹脂で封止されてなる外側樹脂封止部により覆われている
ことを特徴とする請求項１に記載の電線。
【請求項３】
複数の素線からなる芯線が被覆部で被覆された電線と、被覆されていない金属体とが、電気的に接続されてシールされた電線構造体であって、
前記電線の芯線と前記金属体とが、隙間を有して互いに接していない状態で、はんだ付けされ、
はんだ付け部と、前記芯線におけるはんだ付け部および被覆部から露出した部分と、前記金属体のはんだ付け部から露出した部分とが、第１の樹脂で封止されてなる内側樹脂封止部により覆われ、
前記内側樹脂封止部における前記はんだ付け部に対応する箇所の外周に、この内側樹脂封止部の外周を全周から締め付ける締付け材が配設され、
前記内側樹脂封止部と、前記締付け材の両側面部と、前記電線における前記内側樹脂封止部から露出した部分と、前記金属体の前記内側樹脂封止部から露出した部分とが、第２の樹脂で封止されてなる外側樹脂封止部により覆われている
ことを特徴とする電線構造体。
【請求項４】
電線における内側樹脂封止部から露出した部分の外周に、この電線の外周を全周から締め付ける補助締付け材が配設され、
内側樹脂封止部と、締付け材の少なくとも両側面部と、電線における内側樹脂封止部から露出した部分と、前記補助締付け材とが、第２の樹脂で封止されてなる外側樹脂封止部により覆われている
ことを特徴とする請求項３に記載の電線構造体。
【請求項５】
複数の素線からなる芯線が被覆部で被覆された電線の製造方法であって、
各電線の芯線同士を、隙間を有して互いに接していない状態で、はんだ付けするはんだ付け工程と、
はんだ付け部と、各芯線におけるはんだ付け部および被覆部から露出した部分と、各被覆部の端部とを、第１の樹脂で封止して内側樹脂封止部を形成する内側樹脂封止工程と、
前記内側樹脂封止部における前記はんだ付け部に対応する箇所の外周に、この内側樹脂封止部の外周を全周から締め付ける締付け材を配設する締付け材配設工程と、
前記内側樹脂封止部と、前記締付け材の両側面部と、前記電線における前記内側樹脂封止部から露出した部分とを、第２の樹脂で封止して外側樹脂封止部を形成する外側樹脂封止工程と
を有することを特徴とする電線の製造方法。
【請求項６】
電線における内側樹脂封止部から露出した部分の外周に、この電線の外周を全周から締め付ける補助締付け材を配設する補助締付け材配設工程を有し、
外側樹脂封止工程において、内側樹脂封止部と、締付け材の少なくとも両側面部と、前記電線における内側樹脂封止部から露出した部分と、前記補助締付け材とを、第２の樹脂で封止して外側樹脂封止部を形成する
ことを特徴とする請求項５に記載の電線の製造方法。
【請求項７】
複数の素線からなる芯線が被覆部で被覆された電線と、被覆されていない金属体とを、電気的に接続してシールする電線構造体の製造方法であって、
前記電線の芯線と前記金属体とを、隙間を有して接していない状態で、はんだ付けするはんだ付け工程と、
はんだ付け部と、前記芯線におけるはんだ付け部および被覆部から露出した部分と、前記金属体のはんだ付け部から露出した部分とを、第１の樹脂で封止して内側樹脂封止部を形成する内側樹脂封止工程と、
前記内側樹脂封止部における前記はんだ付け部に対応する箇所の外周に、この内側樹脂封止部の外周を全周から締め付ける締付け材を配設する締付け材配設工程と、
前記内側樹脂封止部と、前記締付け材の両側面部と、前記電線における前記内側樹脂封止部から露出した部分と、前記金属体の前記内側樹脂封止部から露出した部分とを、第２の樹脂で封止して外側樹脂封止部を形成する外部側樹脂封止工程と
を有することを特徴とする電線構造体の製造方法。
【請求項８】
電線における内側樹脂封止部から露出した部分の外周に、この電線の外周を全周から締め付ける補助締付け材を配設する補助締付け材配設工程を有し、
外側樹脂封止工程において、内側樹脂封止部と、締付け材の少なくとも両側面部と、前記電線における内側樹脂封止部から露出した部分と、前記補助締付け材とを、第２の樹脂で封止して外側樹脂封止部を形成する
ことを特徴とする請求項７に記載の電線構造体の製造方法。
【発明の詳細な説明】
【技術分野】
【０００１】
本発明は、電線および電線の製造方法などに関し、特に、電線が水や油などが多く存在する環境で使用される電線および電線の製造方法などに関する。
【背景技術】
【０００２】
複数の素線（金属線）からなる芯線が被覆部により被覆された電線は既に広く知られている。この種の電線は、その端部や、接続された機能部品の接続部分などが、水や油などが多く存在する環境で使用されることがある。この場合に電線は、その内部において、複数の素線が撚られるなどして中心部に集合された状態で芯線が配設されているものの、素線間には小さな隙間があいた状態で配設されているため、電線の芯線の端部など（被覆部から露出した箇所）が水や油などに浸かってしまうと、毛細管現象によりこれらの水や油などが複数の素線間の隙間を通して流れ込んでしまい、芯線の酸化などの不具合を発生するおそれがある。
【０００３】
このような不具合に対処する方法として、例えば、特許文献１には、複数の素線からなる芯線において、所定長さ毎に素線同士を互いに溶着させたり、素線間にシアノアクリレートなどのシール材を充填したりして、素線間の隙間を埋める構造が開示されている。この構造によれば、電線の芯線に水や油などが外部から侵入した場合でも、前記溶着部やシール材充填部により水や油などがせき止められ、この水や油などが電線内をさらに進んで流れ込むことを阻止できる。
【０００４】
また、特許文献２には、電線の端部から露出した複数の素線（当該特許文献２では芯線と表記している）の端部に、熱硬化性樹脂を浸漬して、電線の端部から露出した複数の素線間に水や油などが侵入することを防止する構造が開示されている。
【０００５】
また、特許文献３には、超低密度ポリエチレン等に吸水膨張性高分子を混合してなる水密組成物を素線間の隙間に充填した構造が開示されており、また、特許文献４には、複数の素線の外周面および隙間に高吸水性樹脂粉末を充填付着させた構造が開示されている。これらの構成によれば、電線の端部から素線の外周面や隙間に水が浸入すると前記吸水膨張性高分子や前記高吸水性樹脂粉末が膨潤して素線間の隙間が閉鎖され、水が浸入することを防止できるよう構成されている。
【０００６】
すなわち、これらの特許文献１〜４においては、単体の電線において、複数の素線間に水や油などが浸入して、電線の内部を長手方向に沿って水が浸入することを阻止する構造が開示されている。
【０００７】
しかし、これらの引用文献１〜４の技術を採用することにより、電線内の素線間の隙間を埋め、水、油の侵入を抑制することはできるが、電線使用時の電線外部からの負荷応力によって、電線が屈曲したり歪みが生じた際に、使用材料の親和性、密着が不十分な場合には、電線被覆材と充填材、充填材と素線間で界面剥離を生じ、再び電線内に隙間が生じてしまう懸念があった。また、電線の端部における複数の素線間に各種のシール材を充填したものを用いて、電線の端部同士を接続すると、接続部分にシール材が混入するなどして接続不良を招いてしまうおそれがあり、また、接続状態が良好になるようにシール材の充填量を抑えるなどして変更すると、シール不良となってしまうおそれがある。
【０００８】
これに対して、特許文献５には、互いに接続した２本の電線間で、片方の電線内から他方の電線内に油が流れないよう図った電線の接続装置が開示されている。この電線の接続装置は、図６に示すように、電線５１、５２の端部の被覆部（当該文献では皮膜と表記）を剥離させ、これにより外部に露出した状態となった芯線５３、５４（当該文献では金属線と表記）を、導電性の金属板よりなるジョイント端子５５でかしめて接続し、この接続部（当該文献では連結部と表記）をターミナルケース５６の空洞内に挿入するとともに、このターミナルケース５６の空洞内に、エポキシ樹脂またはシリコン樹脂などの絶縁性、耐熱性、耐油性を有する樹脂５７を注入して、前記接続部および電線５１、５２の端部近傍箇所と、ターミナルケース５６の内周面との間の間隙を埋めるように樹脂５７を充填、固化させたものである。なお、図６における５８はターミナルケース５６内に押し込まれたゴムブッシュである。
【０００９】
また、図７に示すように、特許文献６においても同様な接続装置が開示されている（図６に示す接続装置と同様な機能を有する構成要素に同符号を付し、その説明を省略する）。なお、この特許文献６においては、充填される樹脂５７が柔軟性を有する熱硬化性樹脂とされ、気密性を向上させるよう図られている。
【００１０】
なお、ジョイント端子５５による電線５１、５２の端部の芯線５３、５４同士の接続装置については、各文献において詳細な記載はないが、一般には、電線５１、５２の端部の芯線５３、５４同士が重なる状態でジョイント端子５５をかしめて接続することが通例である。
【００１１】
これらの特許文献５、特許文献６に記載された電線の接続装置によれば、電線５１、５２を電気的に接続できるとともに、露出した芯線５３、５４の周りにも樹脂５７が充填されているため、電線５１、５２における芯線５３、５４と被覆部との境界面などをつたって流れてきた油が外部に漏れ出たり、外部から接続部分側に侵入したりすることを最小限に抑えることができる。
【先行技術文献】
【特許文献】
【００１２】
【特許文献１】特開２００５−２７６７６６号公報
【特許文献２】特開２００７−３１７４７０号公報
【特許文献３】特開平１０−２０４２２７号公報
【特許文献４】特開平８−１８５７２２号公報
【特許文献５】特公平１−５９４６７号公報
【特許文献６】特許２７６６５５８号公報
【発明の概要】
【発明が解決しようとする課題】
【００１３】
しかしながら、特許文献５、特許文献６に記載された従来の電線の接続装置では、単に、電線５１、５２の芯線５３、５４やジョイント端子５５の周りに樹脂５７を充填しただけの構成であるので、芯線５３、５４が複数の素線から構成されている場合に、芯線５３、５４における素線間の隙間に樹脂５７が良好には充填されないおそれがある。また特にジョイント端子５５の内部では、芯線５３、５４同士がジョイント端子５５により押圧力をかけられた状態で圧接されているので、ジョイント端子５５でかしめられた芯線５３、５４における素線間の極めて小さくなった隙間や、芯線５３、５４とジョイント端子５５内周面との間の隙間には樹脂５７が良好には充填されないおそれがある。したがって、これらのように、芯線５３、５４における素線間の隙間に樹脂５７が良好には充填されなかったり、芯線５３、５４における素線間の極めて小さくなった隙間や、芯線５３、５４とジョイント端子５５内周面との間の隙間に樹脂５７が良好には充填されなかったりした場合には、これらの隙間を通して毛細管現象により、油が一方の芯線５３から他方の芯線５４に流れ込んでしまうおそれがある。
【００１４】
また、特許文献５に記載された従来の電線の接続装置では、単に、ジョイント端子５５の空洞部に樹脂５７を充填しただけであるので、図６に示す、電線５１の被覆部外周と樹脂５７との境界面や、被覆されていない芯線５３、５４の外周と樹脂５７との境界面や、ジョイント端子５５の外周と樹脂５７との境界面などに僅かではあるが隙間を生じるおそれがある。したがって、一方の電線５１の被覆部外周と樹脂５７との境界面や、電線５１における芯線５３と樹脂５７との境界面をつたって流れてきた油が、ジョイント端子５５の外周と樹脂５７との境界面を介してつたわって、他方の電線５２の被覆されていない芯線５４部分から、他方の電線５２内に侵入するおそれがある。
【００１５】
さらに、特許文献５、６に開示された電線の接続装置は、何れも構造が極めて複雑であるので、製造コストが多大となる欠点もある。
本発明は上記課題を解決するもので、連続した電線であって、電線内に水、油が侵入した場合であっても、水、油が電線を接続した機器側にまで移動しないよう、連続した電線の一部を切断し、そこに付加的に接続構造を設けることで、水、油の移動を確実に遮断するものであり、通常の電線、または充填材によって隙間を埋めた電線を用いた場合であっても、電線使用時に電線外部から負荷応力が加わり、水、油の移動を促すような隙間を完全に閉じ、そこから先に水、油の移動が生じないよう遮断する、高い信頼性を持った電線および電線の製造方法や、これに類似する電線構造体および電線構造体の製造方法を提供することを目的とするものである。
【課題を解決するための手段】
【００１６】
上記課題を解決するために本発明の電線は、複数の素線からなる芯線が被覆部で被覆された電線であって、各電線の芯線同士が、隙間を有して互いに接していない状態で、はんだ付けされ、はんだ付け部と、各芯線におけるはんだ付け部および被覆部から露出した部分と、各被覆部の端部とが、第１の樹脂で封止されてなる内側樹脂封止部により覆われ、前記内側樹脂封止部における前記はんだ付け部に対応する箇所の外周に、この内側樹脂封止部の外周を全周から締め付ける締付け材が配設され、前記内側樹脂封止部と、前記締付け材の両側面部と、前記電線における前記内側樹脂封止部から露出した部分とが、第２の樹脂で封止されてなる外側樹脂封止部により覆われていることを特徴とする。
【００１７】
この構成により、各電線の芯線同士が、隙間を有して互いに接していない状態で、はんだ付けされているので、電線の芯線間にはんだが確実に良好に流れ込み、電線の芯線間に隙間を生じることを確実に防止できる。したがって、各電線の芯線同士を良好に接続させることができるとともに、一方の電線の芯線における素線間に油や水などが浸入していた場合でも、この油や水などがはんだ付け部で確実にせき止められ、他方の電線の芯線に油や水などが浸入することを防止できる。つまり、各電線の芯線同士を当接させた状態ではんだ付けすると、当接部近傍にはんだが入りこまない小さな隙間を生じるおそれがある。したがって、一方の電線の芯線における素線間に油や水などが浸入していた場合には、前記隙間を介して一方の電線の芯線に侵入していた油や水などが他方の電線の芯線に侵入してしまうおそれがあるが、本発明ではこのような不具合を生じることが無い。
【００１８】
また、はんだ付け部、各芯線の露出部、および各被覆部の端部が、第１の樹脂で封止されてなる内側樹脂封止部により覆われているだけでなく、前記内側樹脂封止部における前記はんだ付け部に対応する箇所の外周に、この内側樹脂封止部の外周を全周から締め付ける締付け材が配設されているので、締付け材の締付け力によって、はんだ付け部と内側樹脂封止部との境界面に隙間を生じることを確実に防止でき、この結果、一方の電線内部に油や水などが浸入していた場合でも、この油や水などが、はんだ付け部と内側樹脂封止部との境界面を介して、他の電線側に移動することをより確実に防止することができる。さらに、一方の電線側の内側樹脂封止部と外側樹脂封止部との境界面に油や水がしみこんだ場合でも、この境界面に沿って流れようとした（しみ込もうとした）油や水が締付け材でせき止められて、他方の電線側に流れ込むことを防止できる。
【００１９】
また、本発明の電線構造体は、複数の素線からなる芯線が被覆部で被覆された電線と、被覆されていない金属体とが、電気的に接続されてシールされた電線構造体であって、前記電線の芯線と前記金属体とが、隙間を有して互いに接していない状態で、はんだ付けされ、はんだ付け部と、前記芯線におけるはんだ付け部および被覆部から露出した部分と、前記金属体のはんだ付け部から露出した部分とが、第１の樹脂で封止されてなる内側樹脂封止部により覆われ、前記内側樹脂封止部における前記はんだ付け部に対応する箇所の外周に、この内側樹脂封止部の外周を全周から締め付ける締付け材が配設され、前記内側樹脂封止部と、前記締付け材の両側面部と、前記電線における前記内側樹脂封止部から露出した部分と、前記金属体の前記内側樹脂封止部から露出した部分とが、第２の樹脂で封止されてなる外側樹脂封止部により覆われていることを特徴とする。
【００２０】
この構成により、電線の芯線と金属体とが、隙間を有して互いに接していない状態で、はんだ付けされているので、電線の芯線と金属体との間にはんだが確実に良好に流れ込んで、これらの間に隙間を生じることを確実に防止できる。したがって、電線の芯線と金属体とを良好に接続させることができるとともに、一方の電線の芯線における素線間に油や水などが浸入していた場合でも、この油や水などがはんだ付け部で確実にせき止められ、金属体側に油や水などが浸入することを防止できる。つまり、電線の芯線と金属体とを当接させた状態ではんだ付けすると、当接部近傍にはんだが入りこまない小さな隙間を生じるおそれがある。したがって、電線の芯線における素線間に油や水などが浸入していた場合には、前記隙間を介して電線の芯線に侵入していた油や水などが金属体に侵入してしまうおそれがあるが、本発明ではこのような不具合を生じることが無い。
【００２１】
また、はんだ付け部と、前記芯線の露出部分と、前記金属体のはんだ付け部から露出した部分とが、第１の樹脂で封止されてなる内側樹脂封止部により覆われているだけでなく、内側樹脂封止部における前記はんだ付け部に対応する箇所の外周に、この内側樹脂封止部の外周を全周から締め付ける締付け材が配設されているので、締付け材の締付け力によって、はんだ付け部と内側樹脂封止部との境界面に隙間を生じることを確実に防止でき、この結果、電線内部に油や水などが浸入していた場合でも、この油や水などが、はんだ付け部と内側樹脂封止部との境界面を介して、金属体側に移動することを防止することができる。さらに、電線側の内側樹脂封止部と外側樹脂封止部との境界面に油や水がしみこんだ場合でも、この油や水が締付け材でせき止められて、金属体側に流れ込むことを防止できる。
【００２２】
また、本発明の電線、または電線構造体は、電線における内側樹脂封止部から露出した被覆部の外周に、この電線の被覆部の外周を全周から締め付ける補助締付け材が配設され、内側樹脂封止部と、締付け材の少なくとも両側面部と、電線における内側樹脂封止部から露出した被覆部の外周と、前記補助締付け材とが、第２の樹脂で封止されてなる外側樹脂封止部により覆われていることを特徴とする。
【００２３】
この構成により、外側樹脂封止部をなす第２の樹脂と電線の被覆部や金属体との密着性があまりよくない場合でも、補助締付け材の締付け力により、補助締付け材が電線の被覆部や金属体に密着することになる。したがって、例え、電線の内部から油や水がその電線の被覆部の周りを伝わって、外側樹脂封止部との境界面に沿って移動した場合でも、この油や水が補助締付け材によりせき止められ、これにより、外側樹脂封止部より外部に油や水が染み出てくることを防止することができる。
【００２４】
また、本発明の電線の製造方法は、複数の素線からなる芯線が被覆部で被覆された電線の製造方法であって、各電線の芯線同士を、隙間を有して互いに接していない状態で、はんだ付けするはんだ付け工程と、はんだ付け部と、各芯線におけるはんだ付け部および被覆部から露出した部分と、各被覆部の端部とを、第１の樹脂で封止して内側樹脂封止部を形成する内側樹脂封止工程と、前記内側樹脂封止部における前記はんだ付け部に対応する箇所の外周に、この内側樹脂封止部の外周を全周から締め付ける締付け材を配設する締付け材配設工程と、前記内側樹脂封止部と、前記締付け材の両側面部と、前記電線における前記内側樹脂封止部から露出した部分とを、第２の樹脂で封止して外側樹脂封止部を形成する外側樹脂封止工程とを有することを特徴とする。これにより、電線同士を良好に接続できながら、一方の電線側からの油や水などが他方の電線側に浸入することを確実に防止できる電線を得ることができる。
【００２５】
また、本発明の電線構造体の製造方法は、複数の素線からなる芯線が被覆部で被覆された電線と、被覆されていない金属体とを、電気的に接続してシールする電線構造体の製造方法であって、前記電線の芯線と前記金属体とを、隙間を有して接していない状態で、はんだ付けするはんだ付け工程と、はんだ付け部と、前記芯線におけるはんだ付け部および被覆部から露出した部分と、前記金属体のはんだ付け部から露出した部分とを、第１の樹脂で封止して内側樹脂封止部を形成する内側樹脂封止工程と、前記内側樹脂封止部における前記はんだ付け部に対応する箇所の外周に、この内側樹脂封止部の外周を全周から締め付ける締付け材を配設する締付け材配設工程と、前記内側樹脂封止部と、前記締付け材の両側面部と、前記電線における前記内側樹脂封止部から露出した部分と、前記金属体の前記内側樹脂封止部から露出した部分とを、第２の樹脂で封止して外側樹脂封止部を形成する外部側樹脂封止工程とを有することを特徴とする。これにより、電線と金属体とを良好に接続できながら、電線側からの油や水などが金属体側に浸入することを確実に防止できる電線の接続装置を得ることができる。
【００２６】
また、本発明の電線または電線構造体の製造方法は、電線における内側樹脂封止部から露出した部分の外周に、この電線の外周を全周から締め付ける補助締付け材を配設する補助締付け材配設工程を有し、外側樹脂封止工程において、内側樹脂封止部と、締付け材の少なくとも両側面部と、前記電線における前記内側樹脂封止部から露出した部分と、前記補助締付け材とを、第２の樹脂で封止して外側樹脂封止部を形成することを特徴とする。
【発明の効果】
【００２７】
本発明によれば、各電線の芯線同士、または電線の芯線と金属体とを、隙間を有して互いに接していない状態で、はんだ付けしたことにより、各電線の芯線同士、または電線の芯線と金属体とを、良好に接続させることができるとともに、一方の電線の芯線における素線間に油や水などが浸入していた場合でも、この油や水などをはんだで確実にせき止めることができて、他方の電線の芯線や金属体に油や水などが浸入することを防止でき、この結果、水密性などの信頼性を向上することができる。また、内側樹脂封止部におけるはんだ付け部に対応する箇所の外周に、この内側樹脂封止部の外周を全周から締め付ける締付け材を配設したことによって、はんだと内側樹脂封止部との境界面に隙間を生じることを確実に防止でき、この結果、一方の電線内部に油や水などが浸入していた場合でも、この油や水などが、はんだと内側樹脂封止部との境界面を介して、他の電線側や金属体側に移動することを防止することができ、これによっても、水密性などの信頼性を向上することができる。さらに本発明によれば、各電線の芯線同士、または電線の芯線と金属体との間での、気体の侵入も確実に防止することができ、水密性だけでなく、良好な気密性を確保することができる。
【００２８】
また、電線における内側樹脂封止部から露出した部分の外周に、この電線の外周を全周から締め付ける補助締付け材を装着したことにより、補助締付け材が電線の被覆部や金属体に密着することになる。したがって、例え、電線の内部から油や水がその電線の被覆部の周りを伝わって、外側樹脂封止部との境界面に沿って移動した場合でも、この油や水が補助締付け材によりせき止められ、これにより、外側樹脂封止部より外部に油や水が染み出てくることを防止することができ、さらに水密性などの信頼性を向上することができる。
【図面の簡単な説明】
【００２９】
【図１】（ａ）および（ｂ）はそれぞれ本発明の実施の形態に係る電線の断面図である。
【図２】（ａ）〜（ｆ）はそれぞれ同電線の各製造工程の外形を示す図である。
【図３】（ａ）〜（ｆ）はそれぞれ同電線の各製造工程を示す断面図である。
【図４】（ａ）および（ｂ）はそれぞれ本発明の他の実施の形態に係る電線構造体の断面図である。
【図５】（ａ）〜（ｆ）はそれぞれ同他の実施の形態に係る電線構造体の各製造工程を示す断面図である。
【図６】従来の電線の接続装置の断面図である。
【図７】他の従来の電線の接続装置の断面図である。
【発明を実施するための形態】
【００３０】
以下、本発明の実施の形態に係る電線および電線の製造方法、電線構造体および電線構造体の製造方法を図面に基づき説明する。図１は本発明の実施の形態に係る電線の断面図、図２は同電線の各製造工程の外形を示す図、図３は同電線の各製造工程を示す断面図である。
【００３１】
図１（ａ）に示すように、本発明の実施の形態に係る電線は、複数の素線（図示せず）の撚り線（撚っていないものでもよい）からなる芯線１１、２１が被覆部１２、２２で被覆された電線１０、２０同士を、互いに電気的に接続させてシールさせたものである。そして特に、本発明の実施の形態に係る電線は、各電線１０、２０の芯線１１、２１同士が、隙間を有しており、互いに接していない状態で、はんだ付けされている。より詳しくは、各電線１０、２０の芯線１１、２１の端面同士が対向し、これらの端面の間に隙間を有する姿勢で配置されているとともに、電線１０、２０の芯線１１、２１の各端面と、これらの端面に続く各芯線１１、２１の外周面をはんだが覆う状態ではんだ付けされている。また、はんだ付け部３０と、各芯線１１、２１におけるはんだ付け部３０および被覆部１２、２２から露出した露出部１１ａ、２１ａと、各被覆部１２、２２の端部１２ａ、２２ａとが、第１の樹脂で封止されてなる内側樹脂封止部３１により円柱状に囲まれた状態で覆われている。そして、内側樹脂封止部３１におけるはんだ付け部３０に対応する箇所の外周に、この内側樹脂封止部３１の外周を全周から締め付けるリング状の締付け材３２が配設され、また、各電線１０、２０における内側樹脂封止部３１から露出した部分の外周には、電線１０、２０の外周を全周から締め付けるリング状の補助締付け材３４がそれぞれ配設されている。さらに、内側樹脂封止部３１と、締付け材３２の両側面部と、電線１０、２０における内側樹脂封止部３１から露出した部分と、各電線１０、２０に装着された補助締付け材３４とが、第２の樹脂で封止されてなる外側樹脂封止部３３により円柱状（角柱状などでもよい）に囲まれた状態で覆われている。なお、補助締付け材３４は必ずしも設けなくてもよい。また、図１（ｂ）に示すように、外側樹脂封止部３３により、締付け材３２の両側面部だけでなく、その外周面も含めて、すなわち、締付け材３２全体を覆ってもよい。
【００３２】
また、このような電線１０、２０を配設する使用環境としては、連続した電線１０、２０の途中部分や電線１０、２０の接続部分が、水や油などが多く存在する環境で使用される。例えば、電線１０が各種のセンサなどの機能部品の電線部分であり、この機能部品の電線部分や端部が、潤滑油が貯留されている自動車のエンジンなどに配設され、この機能部品に、電気を供給するとともに信号を受け取る信号線である電線２０が接続される場合など（すなわち、電線１０、２０の途中部分が油中や水中に配線される場合、または電線１０または電線２０の先端部分が油中や水中に配線される場合など）である。
【００３３】
ここで、内側樹脂封止部３１をなす第１の樹脂としては、エラストマー樹脂が適している。さらにこのエラストマー樹脂としては、ＳＢＳ（スチレン−ブタジエン−スチレンブロック共重合体）、ＳＩＳ（スチレン−イソプレン−スチレンブロック共重合体）、ＳＥＢＳ（スチレン−エチレン・ブチレン−スチレンブロック共重合体）、ＳＥＰＳ（スチレン−エチレン・プロピレン−スチレンブロック共重合体）などのポリスチレン系熱可塑性エラストマー（ＴＰＥ）、または部分架橋ＴＰＯ、動的架橋ＴＰＯ（ＴＰＶ）などのポリオレフィン系熱可塑性エラストマー（ＴＰＥ）、またはポリウレタン系熱可塑性エラストマー（ＴＰＥ）、またはポリエステル系熱可塑性エラストマー（ＴＰＥ）、ポリアミド系（ＰＡ６、ＰＡ１２）熱可塑性エラストマー（ＴＰＥ）、ポリ塩化ビニル系熱可塑性エラストマー（ＴＰＥ）などを用いるとよい。
【００３４】
また、電線１０、２０の被覆部１２、２２をなす材料としては、ポリ塩化ビニル系樹脂（補助締付け材３４を設けない場合）、架橋／非架橋ポリエチレン樹脂、ポリウレタン樹脂、フッ素系樹脂（ＰＦＡほか、補助締付け材３４を設ける場合）、その他それぞれのアロイ樹脂などが適している。
【００３５】
また、外側樹脂封止部３３をなす第２の樹脂としては熱可塑性樹脂で形成し、締付け材３２や補助締付け材３４をなす材料としては、前記熱可塑性樹脂と同じ材料で形成すると、より好ましいが、これに限るものではない。また、締付け材３２や補助締付け材３４をなす材料は、成形後の冷却に伴って収縮する適度な成形収縮性を有する熱可塑性樹脂を用いる。ここで、外側樹脂封止部３３をなす熱可塑性樹脂の種類としては、特に限定されないが、たとえば、以下に述べる材料を用いる。ＰＰ、ＰＥ、ＰＶＣに代表される汎用樹脂、ＰＢＴ、ＰＯＭ、ＰＡに代表されるエンプラ樹脂、ＰＰＳ、ＬＣＰ、ＰＡＲ、ＰＥＥＫに代表されるスーパーエンプラ樹脂の中から適宜選択可能である。さらに、この熱可塑性樹脂として、電線１０や電線２０の被覆部１２、２２と同じ材料の樹脂を用いてもよい。また、これらの外側樹脂封止部３３をなす第２の樹脂、締付け材３２や補助締付け材３４としては、密着性に優れ、成形収縮率が大きいものが好ましい。
【００３６】
電線１０、２０の被覆部１２、２２をなす材料として、フッ素系樹脂を用いた場合、耐熱性に優れた電線１０、２０として使用することができるが、その際に、外側樹脂封止部３３の材料となる熱可塑性樹脂と、締付け材３２や補助締付け材３４の材料となる熱可塑性樹脂として、耐熱性の高いＰＰＳ、ＬＣＰ等を使用することで、高温環境下での使用が可能となるため好ましい。
【００３７】
なお、第１の組み合わせ例としては、電線１０、２０の被覆部１２、２２としてフッ素系樹脂、内側樹脂封止部３１をなすエラストマー樹脂（第１の樹脂）として、ポリオレフィン系エラストマー樹脂、外側樹脂封止部３３をなす熱可塑性樹脂（第２の樹脂）および締付け材３２や補助締付け材３４をなす材料として、ＰＰＳを用いるとよい。また、第２の組み合わせ例としては、電線１０、２０の被覆部１２、２２として塩化ビニル系樹脂、内側樹脂封止部３１をなすエラストマー樹脂（第１の樹脂）として、ポリエステル系エラストマー樹脂、外側樹脂封止部３３をなす熱可塑性樹脂（第２の樹脂）および締付け材３２をなす材料として、ＰＢＴを用いるとよい。被覆部１２、２２が塩化ビニル系樹脂、外側樹脂封止部３３がＰＢＴを用いた場合は、塩化ビニル系樹脂とＰＢＴとの密着性が優れるために、補助締付け材３４は用いなくても気密性が得られる。しかし、使用環境によっては塩化ビニル系樹脂とＰＢＴとの界面が剥離する懸念があり、そのような場合は、密着性に優れる材料同士の接合においても補助締付け材３４を用いておくことがより好ましい。なお、使用環境に応じて、いろいろな組み合わせの材料を用いればよく、使用環境に対応させながら、電線１０、２０の被覆部１２、２２と、外側樹脂封止部３３をなす熱可塑性樹脂および締付け材３２や補助締付け材３４との密着性が良好な組み合わせ、電線１０、２０の被覆部１２、２２と内側樹脂封止部３１をなすエラストマー樹脂との密着性が良好な組み合わせ、内側樹脂封止部３１をなすエラストマー樹脂と外側樹脂封止部３３をなす熱可塑性樹脂および締付け材３２や補助締付け材３４との密着性が良好な組み合わせを適宜選択する。
【００３８】
次に、上記電線の製造方法（製造工程）を図２（外形図）、図３（断面図）を参照しながら説明する。
まず、図２（ａ），（ｂ）、図３（ａ），（ｂ）に示すように、電線の途中切断部分や、各電線１０、２０の端部において芯線１１、２１を露出させた状態で、各電線１０、２０の芯線１１、２１の露出部１１ａ、２１ａ同士を、隙間を有して互いに接していない状態で、はんだ付けする（はんだ付け工程）。
【００３９】
次に、図２（ｃ）、図３（ｃ）に示すように、はんだ付け部３０と、各芯線１１、２１におけるはんだ付け部３０および被覆部１２、２２から露出した露出部１１ａ、２１ａと、各被覆部１２、２２の端部１２ａ、２２ａとを、第１の樹脂（エラストマー樹脂）で封止して内側樹脂封止部３１を形成する（内側樹脂封止工程）。
【００４０】
この後、図２（ｄ）、図３（ｄ）に示すように、内側樹脂封止部３１におけるはんだ付け部３０に対応する箇所の外周に、この内側樹脂封止部３１の外周を全周から締め付ける締付け材３２を配設する（締付け材配設工程）。また、各電線１０、２０における内側樹脂封止部３１から露出した部分の外周に、電線１０、２０の外周を全周から締め付けるリング状の補助締付け材３４をそれぞれ配設する（補助締付け材配設工程）。この場合に、締付け材３２や補助締付け材３４は、適度な成形収縮性を有する樹脂を成形することにより配設する。つまり、締付け材３２については、適度な成形収縮性を有する締付け材形成用の熱可塑性樹脂を、内側樹脂封止部３１におけるはんだ付け部３０に対応する箇所の外周に成形するとともに、この締付け材形成用の熱可塑性樹脂を、成形後の冷却により内側樹脂封止部３１の径方向に収縮させることで、締付け材３２により、内側樹脂封止部３１を外周から締め付けた状態で装着する。また、補助締付け材３４については、適度な成形収縮性を有する締付け材形成用の熱可塑性樹脂を、各電線１０、２０の被覆部１２、２２の外周に成形するとともに、この締付け材形成用の熱可塑性樹脂を、成形後の冷却により各電線１０、２０の被覆部１２、２２の径方向に収縮させることで、補助締付け材３４により、各電線１０、２０の被覆部１２、２２を外周から締め付けた状態で装着する。なお、補助締付け材３４は、各電線１０、２０の被覆部１２、２２と外側樹脂封止部３３との密着性が低い場合などに必要に応じて設ける。
【００４１】
そして最後に、図２（ｅ）、図３（ｅ）、または図２（ｆ）、図３（ｆ）に示すように、内側樹脂封止部３１と、締付け材３２の両側面部（または、締付け材３２の両側面部および外周面部、すなわち締付け材３２全体）と、各電線１０、２０における内側樹脂封止部３１から露出した部分と、２つの補助締付け材３４（補助締付け材３４を設けた場合）とを、第２の樹脂で封止して外側樹脂封止部３３を形成する（外側樹脂封止工程）。
【００４２】
これらの工程により、図１（ａ），（ｂ）に示す電線１０、２０を良好に製造できる。
なお、この電線１０、２０の１例としては、例えば、直径１．６ｍｍの電線１０、２０の場合には、各電線１０、２０の芯線１１、２１同士の隙間が２〜３ｍｍほど（例えば、各電線１０、２０の被覆部１２、２２間の離間距離が７ｍｍ程度）となるように離してはんだ付けする。また、内側樹脂封止部３１の直径が３．６ｍｍ、締付け材３２の外径が５．５ｍｍ、補助締付け材３４の外径が３．６ｍｍ、外側樹脂封止部３３の直径が５．５ｍｍ（図１（ａ）に示す場合）、長さが１７ｍｍとなるようにそれぞれ封止成形すればよいが、これに限るものではない。
【００４３】
上記構成によれば、各電線１０、２０の芯線１１、２１同士が、隙間を有して互いに接していない状態で、はんだ付けされているので、はんだ付け時において、電線１０、２０の芯線１１、２１間にはんだが確実に良好に流れ込み、電線１０、２０の芯線１１、２１間に隙間を生じることを確実に防止できる。したがって、各電線１０、２０の芯線１１、２１同士を良好に接続させることができるとともに、一方の電線１０の芯線１１における素線間に油や水などの液体や空気の気体が浸入していた場合でも、この油や水や空気などが、はんだ付け部３０で確実にせき止められ、他方の電線２０の芯線２１に油や水などの液体や空気などの気体が浸入することを防止できる。つまり、各電線の芯線同士を当接させた状態ではんだ付けすると、当接部近傍にはんだが入りこまない小さな隙間を生じるおそれがある。したがって、一方の電線の芯線における素線間に油や水などが浸入していた場合には、前記隙間を介して一方の電線の芯線に侵入していた油や水、空気などが他方の電線の芯線に侵入してしまうおそれがあり、他の電線の芯線の酸化などが促進されて劣化するおそれがあるが、本発明ではこのような不具合を生じることが無い。
【００４４】
また、上記構成によれば、はんだ付け部３０、各芯線１１、２１の露出部１１ａ、２１ａおよび各被覆部１２、２２の端部１２ａ、２２ａが、内側樹脂封止部３１により覆われているだけでなく、内側樹脂封止部３１におけるはんだ付け部３０に対応する箇所の外周を全周から締め付ける締付け材３２が配設されているので、締付け材３２の締付け力によって、はんだ付け部３０と内側樹脂封止部３１との境界面に隙間を生じることを確実に防止でき、この結果、一方の電線１０の内部に油や水などの液体や空気などの気体が浸入していた場合でも、この油や水、空気などが、はんだ付け部３０と内側樹脂封止部３１との境界面を介して、他の電線２０側に移動することを防止することができる。さらに、万一、一方の電線１０側の内側樹脂封止部３１と外側樹脂封止部３３との境界面に油や水がしみこんだ場合でも、この油や水が締付け材３２でせき止められて、他方の電線２０側の内側樹脂封止部３１と外側樹脂封止部３３との境界部に流れ込むことを防止できる。
【００４５】
また、上記構成によれば、補助締付け材３４を設けることで、外側樹脂封止部３３をなす第２の樹脂と電線１０、２０の被覆部１２、２２との密着性があまりよくない場合でも、補助締付け材３４の締付け力により、補助締付け材３４が電線１０、２０の被覆部１２、２２に密着することになる。したがって、例え、電線１０の内部から油や水、空気などがその電線１０の被覆部１２の周りを伝わって、外側樹脂封止部３３との境界面に沿って移動した場合でも、この油や水が補助締付け材３４によりせき止められ、これにより、外側樹脂封止部３３より外部に油や水が染み出てくることを防止することができる。
【００４６】
さらに、上記構成によれば、外側樹脂封止部３３を設けることにより、内側樹脂封止部３１や電線１０、２０の端部、補助締付け材３４をそれぞれ保護することができるとともに、内側樹脂封止部３１や、電線１０、２０の被覆部１２、２２、締付け材３２、補助締付け材３４とのそれぞれに対して密着性の高い材料を用いることで、各部材間に対する水密性や気密性を高めることができる。
【００４７】
また、上記構成により、電線１０、２０の外部から、この電線１０、２０の内部に油や水、空気などが入り込むことも防止できる。
なお、上記実施の形態では、電線１０、２０の途中部分や、電線１０、２０の端部同士を接続する場合について説明したが、これに限るものではなく、図４（ａ），（ｂ）に示すように、電線１０と、金属端子などの金属体４０とを接続してなる電線構造体の場合にも同様な構成を適用することができる。すなわち、電線１０の芯線１１と金属体４０とが、隙間を有して接していない状態で、はんだ付けされ、はんだ付け部３０と、芯線１１におけるはんだ付け部３０および被覆部１２から露出した部分と、金属体４０のはんだ付け部３０から露出した部分とが、第１の樹脂で封止されてなる内側樹脂封止部３１により覆われ、内側樹脂封止部３１におけるはんだ付け部３０に対応する箇所の外周に、この内側樹脂封止部３１の外周を全周から締め付ける締付け材３２が配設され、内側樹脂封止部３１と、締付け材３２の両側面部（または締付け材３２の両側面部および外周面部、すなわち、締付け材３２全体）と、電線１０における内側樹脂封止部３１から露出した部分と、金属体４０の内側樹脂封止部３１から露出した部分とが、第２の樹脂で封止されてなる外側樹脂封止部３３により覆われている電線の接続装置にも適用可能である。この場合には、電線１０の内部に油や水、空気などが流入していた場合でも、電線１０と金属体４０とを良好に接続できながら、前記油や水、空気などが、金属体４０側に伝わることを阻止できて、油や水（空気を含んだ場合も含む）が金属体４０に付着して金属体４０が酸化するなどの不具合の発生を防止することができる。
【００４８】
なお、この実施の形態でも、必要に応じて、電線１０における内側樹脂封止部３１から露出した被覆部１２の外周や金属体４０における内側樹脂封止部３１から露出した部分に、この電線１０の被覆部１２の外周を全周から締め付ける補助締付け材３４や金属体４０の外周を全周から締め付ける補助締付け材３４を配設し、内側樹脂封止部３１と、締付け材３２の両側面部と、電線１０における内側樹脂封止部３１から露出した被覆部１２の外周と、金属体４０における内側樹脂封止部３１から露出した部分と、補助締付け材３４とを、第２の樹脂で封止されてなる外側樹脂封止部３３により覆ってもよく、同様の利点を得ることができる。
【００４９】
なお、この電線１０と金属体４０とを接続してなる電線構造体の製造方法としては、上記電線の製造方法と同様の方法により、良好に製造できる。すなわち、まず、図５（ａ），（ｂ）に示すように、各電線１０の端部において芯線１１を露出させた状態で、電線１０の芯線１１の露出部１１ａと金属体４０の端部とを、隙間を有して互いに接していない状態で、はんだ付けし（はんだ付け工程）、次に、図５（ｃ）に示すように、はんだ付け部３０と、芯線１１におけるはんだ付け部３０および被覆部１２から露出した露出部１１ａと、被覆部１２の端部１２ａと、金属体４０の端部とを、第１の樹脂（エラストマー樹脂）で封止して内側樹脂封止部３１を形成する（内側樹脂封止工程）。この後、図５（ｄ）に示すように、内側樹脂封止部３１におけるはんだ付け部３０に対応する箇所の外周に、この内側樹脂封止部３１の外周を全周から締め付ける締付け材３２を配設する（締付け材配設工程）。また、電線１０と金属体４０における内側樹脂封止部３１から露出した部分の外周に、電線１０と金属体４０の外周を全周から締め付けるリング状の補助締付け材３４をそれぞれ配設する（補助締付け材配設工程）。この場合に、締付け材３２や補助締付け材３４は、適度な成形収縮性を有する樹脂を成形することにより配設する。つまり、締付け材３２については、適度な成形収縮性を有する締付け材形成用の熱可塑性樹脂を、内側樹脂封止部３１におけるはんだ付け部３０に対応する箇所の外周に成形するとともに、この締付け材形成用の熱可塑性樹脂を、成形後の冷却により内側樹脂封止部３１の径方向に収縮させることで、締付け材３２により、内側樹脂封止部３１を外周から締め付けた状態で装着する。また、補助締付け材３４については、適度な成形収縮性を有する締付け材形成用の熱可塑性樹脂を、電線１０の被覆部１２、２２の外周や金属体４０の外周に成形するとともに、この締付け材形成用の熱可塑性樹脂を、成形後の冷却により電線１０の被覆部１２および金属体４０の径方向に収縮させることで、補助締付け材３４により、電線１０の被覆部１２および金属体４０を外周から締め付けた状態で装着する。なお、補助締付け材３４は、電線１０の被覆部１２と外側樹脂封止部３３との密着性が低い場合、金属体４０と外側樹脂封止部３３との密着性が低い場合などに必要に応じて設ける。
【００５０】
そして最後に、図５（ｅ）または図５（ｆ）に示すように、内側樹脂封止部３１と、締付け材３２の両側面部（または締付け材３２の両側面部および外周面部、すなわち締付け材３２全体）と、電線１０における内側樹脂封止部３１から露出した部分と、金属体４０における内側樹脂封止部３１から露出した部分と、２つの補助締付け材３４（補助締付け材３４を設けた場合）とを、第２の樹脂で封止して外側樹脂封止部３３を形成する（外側樹脂封止工程）。これらの工程により、図４に示す電線構造体を良好に製造できる。
【００５１】
また、上記各実施の形態の構成によれば、比較的簡単な構造であるため、このような電線や電線構造体としての製造コストを比較的低く抑えることができる利点もある。
【符号の説明】
【００５２】
１０、２０    電線
１１、２１    芯線
１２、２２    被覆部
３０      はんだ付け部
３１      内側樹脂封止部
３２      締付け材
３３      外側樹脂封止部
３４      補助締付け材
４０      金属体
【図１】
2010218780.tif 000003
【図２】
2010218780.tif 000004
【図３】
2010218780.tif 000005
【図４】
2010218780.tif 000006
【図５】
2010218780.tif 000007
【図６】
2010218780.tif 000008
【図７】
2010218780.tif 000009